(57)【要約】   【課題】  記録する処理を行う際に、データの記録を行えない状態になった場合であっても、記録媒体に記録すべきデータの記憶をメモリで維持する。  【解決手段】  データを記憶する不揮発性メモリ７と、着脱自在に装着された記録媒体６にデータの記録を行える状態にあるか否かを検出する検出手段と、データの記録を行えない状態にあることを検出手段が検出した場合、記録媒体６に記録すべきデータを不揮発性メモリ７に書込む書込手段とを記録装置に備える。【選択図】      図１
2006059265.tif 000002
【特許請求の範囲】
【請求項１】
データを記憶する揮発性のメモリと、該メモリが記憶しているデータを、着脱自在に装着された記録媒体に記録する処理を行う記録処理手段とを備える記録装置において、
前記記録処理手段によるデータの記録を行える状態にあるか否かを検出する検出手段と、
前記記録処理手段がデータを記録する処理を行う際に、データの記録を行える状態にないことを前記検出手段が検出した場合、前記データの記憶を前記メモリで維持する維持手段と
を備え、
前記記録処理手段は、
前記維持手段がデータの記憶を維持している場合に、前記検出手段がデータの記録を行える状態にあることを検出したとき、前記データを記録媒体に記録する処理を行う手段を備える
ことを特徴とする記録装置。
【請求項２】
前記維持手段は、
前記データを記録媒体に記録するまでの間、前記データの記憶を前記メモリで維持する手段を備える
ことを特徴とする請求項１に記載の記録装置。
【請求項３】
前記維持手段は、
前記メモリにデータが書込まれるまでの間、前記データの記憶を前記メモリで維持する手段を備える
ことを特徴とする請求項１に記載の記録装置。
【請求項４】
前記メモリの容量を検出して、データを記憶する空容量を前記メモリが有しているか否かを判定する判定手段を備え、
前記維持手段は、
空容量を前記メモリが有していると前記判定手段が判定した場合、前記メモリにデータが書込まれた後も、前記データの記憶を前記メモリで維持する手段を備える
ことを特徴とする請求項３に記載の記録装置。
【請求項５】
前記メモリで記憶を維持しているデータを記録媒体に記録するまでの間、前記データの記憶を維持するか否かの選択を受け付ける選択受付手段を備え、
前記維持手段は、
前記データの記憶を維持する選択を前記選択受付手段が受け付けた場合、前記データを記録媒体に記録するまでの間、前記データの記憶を前記メモリで維持するようにしてある
ことを特徴とする請求項３又は請求項４に記載の記録装置。
【請求項６】
前記維持手段がデータの記憶を維持している場合に、主電源が切断されたとき、前記メモリに給電を維持する給電維持手段を備える
ことを特徴とする請求項１乃至請求項５のいずれか一つに記載の記録装置。
【請求項７】
データを記憶する不揮発性メモリと、着脱自在に装着された記録媒体にデータを記録する処理を行う記録処理手段とを備える記録装置であって、
前記記録処理手段によるデータの記録を行える状態にあるか否かを検出する検出手段と、
前記記録処理手段がデータを記録する処理を行う際に、データの記録を行える状態にないことを前記検出手段が検出した場合、前記データを前記不揮発性メモリに書込む書込手段と
を備えることを特徴とする記録装置。
【請求項８】
前記記録処理手段は、
前記書込手段がデータを前記不揮発性メモリに書込んだ場合に、前記検出手段がデータの記録を行える状態にあることを検出したとき、前記データを記録媒体に記録する処理を行う手段を備える
ことを特徴とする請求項７に記載の記録装置。
【請求項９】
画像を撮像する撮像手段と、
請求項１乃至請求項８のいずれか一つに記載の記録装置と
を備え、
前記記録装置は、
前記撮像手段が撮像した画像のデータを記録する処理を行うようにしてある
ことを特徴とする撮像装置。
【発明の詳細な説明】
【技術分野】
【０００１】
本発明は、着脱自在に装着された記録媒体にデータを記録する処理を行う記録処理手段を備える記録装置、該記録装置を備える撮像装置に関する。
【背景技術】
【０００２】
従来の撮像装置は、画像を撮像する撮像手段、及び撮像手段が撮像した画像のデータを着脱自在に装着された半導体メモリの記録媒体に記録する記録装置を備えている。
【０００３】
撮像手段は、レンズ、レンズで集光して結像した像をアナログの撮像信号に光電変換する撮像素子、及び撮像素子で光電変換した撮像信号をデジタル電気信号のデータに変換して、揮発性のメモリに書込む撮像信号処理部を備えている。
【０００４】
撮像装置が備える記録装置は、メモリが記憶したデータを、着脱自在に装着された半導体メモリの記録媒体に記録する処理を行う記録処理手段を備えている。
【０００５】
このように構成される撮像装置においては、撮像した画像のデータを、着脱自在の記録媒体に記録することができる。
【特許文献１】特開２０００−１７５０９３号公報
【発明の開示】
【発明が解決しようとする課題】
【０００６】
しかしながら、従来の撮像装置が備える記録装置においては、記録処理手段がデータを記録する処理を行う際に、データの記録を行えない障害が発生した場合、例えば、記録媒体が撮像装置から抜かれた場合、記録すべきデータが失われ、記録媒体を再び挿入してもデータの記録が行われないという問題があった。
【０００７】
本発明は、斯かる事情に鑑みてなされたものであり、データの記録を行える状態にあるか否かを検出する検出手段と、記録を行えない状態にあることを検出手段が検出した場合、前記データの記憶をメモリで維持する維持手段と、データの記録を行える状態に回復した場合、前記データを記録媒体に記録する記録処理手段とを備えることにより、記録を行う際に障害が発生した場合であっても前記データを保持し、保持したデータを記録媒体に記録することができる記録装置、及び該記録装置を備える撮像装置を提供することを目的とする。
【０００８】
また、データを記録媒体に記録するまでの間、記録媒体に記録すべきデータの記憶をメモリで維持する維持手段を備えることにより、記録を行う際に障害が発生した場合であっても、前記データを記録媒体に記録するまでの間、前記データを保持することができる記録装置、及び該記録装置を備える撮像装置を提供することを他の目的とする。
【０００９】
更に、メモリに他のデータが書込まれるまでの間、記録媒体に記録すべきデータの記憶を前記メモリで維持する維持手段を備えることにより、記録を行う際に障害が発生した場合であっても、メモリに他のデータが書込まれるまでの間、前記データを保持することができる記録装置、及び該記録装置を備える撮像装置を提供することを他の目的とする。
【００１０】
更にまた、メモリの容量を検出して、他のデータを記憶する空容量を前記メモリが有しているか否かを判定する判定手段と、該判定手段が空容量を有していると判定した場合、メモリに他のデータが書込まれた後も、記録媒体に記録すべきデータを前記メモリで維持する維持手段を備えることにより、記録を行う際に障害が発生した場合であっても、他のデータを記憶する空容量をメモリが有している間は、前記データを保持することができる記録装置、及び該記録装置を備える撮像装置を提供することを他の目的とする。
【００１１】
更にまた、記録媒体に記録するまでの間、前記データを維持するか否かの選択を受け付ける選択受付手段と、維持する選択を選択受付手段が受け付けた場合、前記データを記録媒体に記録するまでの間、前記データの記憶を維持する維持手段とを備えることにより、期間を選択してデータを保持することができる記録装置、及び該記録装置を備える撮像装置を提供することを他の目的とする。
【００１２】
更にまた、主電源が切断された場合に、メモリへの給電を維持する給電維持手段を備えることにより、主電源が切断された場合であってもデータの記憶をメモリで維持することができる記録装置、及び該記録装置を備える撮像装置を提供することを他の目的とする。
【００１３】
更にまた、記録処理手段によるデータの記録を行える状態にあるか否かを検出する検出手段と、検出手段がデータの記録を行えない状態にあることを検出した場合、前記データを不揮発性メモリに書込む書込手段とを備えることにより、記録を行う際に障害が発生した場合であっても前記データを不揮発性メモリに保持することができる記録装置、及び該記録装置を備える撮像装置を提供することを他の目的とする。
【００１４】
更にまた、不揮発性メモリに前記データが書込まれている場合であって、記録処理手段によるデータの記録を行える状態にあるとき、不揮発性メモリに書込まれたデータを記録媒体に記録する処理を行う記録処理手段を備えることにより、不揮発性メモリに書込まれて保持されたデータの記録を再び行うことができる記録装置、及び該記録装置を備える撮像装置を提供することを他の目的とする。
【課題を解決するための手段】
【００１５】
本発明に係る記録装置は、データを記憶する揮発性のメモリと、該メモリが記憶しているデータを、着脱自在に装着された記録媒体に記録する処理を行う記録処理手段とを備える記録装置において、前記記録処理手段によるデータの記録を行える状態にあるか否かを検出する検出手段と、前記記録処理手段がデータを記録する処理を行う際に、データの記録を行える状態にないことを前記検出手段が検出した場合、前記データの記憶を前記メモリで維持する維持手段とを備え、前記記録処理手段は、前記維持手段がデータの記憶を維持している場合に、前記検出手段がデータの記録を行える状態にあることを検出したとき、前記データを記録媒体に記録する処理を行う手段を備えることを特徴とする。
【００１６】
本発明にあっては、記録処理手段によるデータの記録を行えない状態にあることを検出手段が検出した場合、維持手段は、前記データの記憶をメモリで維持する。そして、前記データの記憶がメモリで維持されている場合に、記録を行える状態にあることを検出手段が検出したとき、記録処理手段は、前記データを記録媒体に記録する処理を行う。従って、記録媒体にデータの記録を行えない障害が発生した場合であっても、記録媒体に記録すべきデータは失われない。
【００１７】
本発明に係る記録装置は、前記維持手段が、前記データを記録媒体に記録するまでの間、前記データの記憶を前記メモリで維持する手段を備えることを特徴とする。
【００１８】
本発明にあっては、記録媒体に記録すべきデータを記録媒体に記録するまでの間、前記データの記憶はメモリで維持される。従って、記録媒体に記録すべきデータを、確実に記録媒体に記録することができる。
【００１９】
本発明に係る記録装置は、前記維持手段が、前記メモリにデータが書込まれるまでの間、前記データの記憶を前記メモリで維持する手段を備えることを特徴とする。
【００２０】
本発明にあっては、少なくともメモリに他のデータが書込まれるまでの間、記録媒体に記録すべきデータの記憶はメモリで維持される。従って、他のデータがメモリに書込まれるまでの間は、記録媒体に記録すべきデータは失われない。
【００２１】
本発明に係る記録装置は、前記メモリの容量を検出して、データを記憶する空容量を前記メモリが有しているか否かを判定する判定手段を備え、前記維持手段は、空容量を前記メモリが有していると前記判定手段が判定した場合、前記メモリにデータが書込まれた後も、前記データの記憶を前記メモリで維持する手段を備えることを特徴とする。
【００２２】
本発明にあっては、メモリが他のデータを記憶する空容量を有している場合、メモリに他のデータが書込まれた後も、記録媒体に記録すべきデータの記憶は維持される。従って、メモリが他のデータを記憶する空容量を有している間は、記録媒体に記録すべきデータは失われない。
【００２３】
本発明に係る記録装置は、前記メモリで記憶を維持しているデータを記録媒体に記録するまでの間、前記データの記憶を維持するか否かの選択を受け付ける選択受付手段を備え、前記維持手段は、前記データの記憶を維持する選択を前記選択受付手段が受け付けた場合、前記データを記録媒体に記録するまでの間、前記データの記憶を前記メモリで維持するようにしてあることを特徴とする。
【００２４】
本発明にあっては、記録媒体に記録すべきデータの記憶をメモリで維持する期間を選択することができる。前記データを記録媒体に記録するまでの間、前記データの記憶を維持する選択を選択手段が受け付けた場合、前記データを確実に記録媒体に記録することができる。一方、前記データを記録媒体に記録するまでの間、前記データの記憶を維持しない選択を受け付けた場合、少なくとも他のデータがメモリに書込まれるまでの間、前記データは失われない。
【００２５】
本発明に係る記録装置は、前記維持手段がデータの記憶を維持している場合に、主電源が切断されたとき、前記メモリに給電を維持する給電維持手段を備えることを特徴とする。
【００２６】
本発明にあっては、主電源が切断された場合であっても給電手段が揮発性のメモリに給電を維持する。従って、主電源が切断された場合であっても、メモリで記憶が維持されているデータは失われない。
【００２７】
本発明に係る記録装置は、データを記憶する不揮発性メモリと、着脱自在に装着された記録媒体にデータを記録する処理を行う記録処理手段とを備える記録装置であって、前記記録処理手段によるデータの記録を行える状態にあるか否かを検出する検出手段と、前記記録処理手段がデータを記録する処理を行う際に、データの記録を行える状態にないことを前記検出手段が検出した場合、前記データを前記不揮発性メモリに書込む書込手段とを備えることを特徴とする。
【００２８】
本発明にあっては、記録処理手段によるデータの記録を行えない状態にあることを検出手段が検出した場合、書込手段は、記録媒体に記録されるべきデータを不揮発性メモリに書込む。従って、記録媒体にデータの記録を行えない障害が発生した場合であっても、記録媒体に記録すべきデータは失われない。
【００２９】
本発明に係る記録装置は、前記記録処理手段は、前記書込手段がデータを前記不揮発性メモリに書込んだ場合に、前記検出手段がデータの記録を行える状態にあることを検出したとき、前記データを記録媒体に記録する処理を行う手段を備えることを特徴とする。
【００３０】
本発明にあっては、記録媒体に記録すべきデータが不揮発性メモリに書込まれている場合に、記録を行える状態にあることを検出手段が検出したとき、記録処理手段は、前記データを記録媒体に記録する処理を行う。従って、記録を行えない状態から記録を行える状態に回復した場合、データの記録を再開し、記録媒体にデータを記録する。
【００３１】
本発明に係る撮像装置は、画像を撮像する撮像手段と、上述したいずれか一つの記録装置とを備え、前記記録装置は、前記撮像手段が撮像した画像のデータを記録する処理を行うようにしてあることを特徴とする。
【００３２】
本発明にあっては、記録装置は、画像のデータを記録媒体に記録する処理を行う。従って、画像のデータを適切に保持しつつ、記録媒体に記録することができる。
【発明の効果】
【００３３】
本発明に係る記録装置及び撮像装置にあっては、データの記録を行う際に障害が発生した場合であっても、データを保持し、保持したデータを記録媒体に記録することができる。
【００３４】
本発明に係る記録装置及び撮像装置にあっては、データの記録を行う際に障害が発生した場合であっても、データを記録媒体に記録するまでの間、データを保持し、保持したデータを記録媒体に記録することができる。
【００３５】
本発明に係る記録装置及び撮像装置にあっては、データの記録を行う際に障害が発生した場合であっても、メモリに他のデータが書込まれるまでの間、データを保持し、保持したデータを記録媒体に記録することができる。
【００３６】
本発明に係る記録装置及び撮像装置にあっては、データの記録を行う際に障害が発生した場合であっても、他のデータを記憶する空容量をメモリが有している間は、データを保持し、保持したデータを記録媒体に記録することができる。
【００３７】
本発明に係る記録装置及び撮像装置にあっては、データの記録を行う際に障害が発生した場合であっても、データを記録媒体に記録するまでの間、又はメモリに他のデータが書込まれるまでの間のいずれかの期間、データを保持し、保持したデータを記録媒体に記録することができる。
【００３８】
本発明に係る記録装置及び撮像装置にあっては、主電源が切断された場合であっても、データを保持することができる。
【００３９】
本発明に係る記録装置及び撮像装置にあっては、データを記録する処理を行う際に障害が発生した場合であっても、データを記録媒体に記録するまでの間、不揮発性メモリでデータを保持することができる。
【００４０】
また、記録媒体にデータの記録を行えない障害が発生した後、データの記録を行える状態に回復した場合、不揮発性メモリから記録媒体へデータの記録を再開し、前記データを記録媒体に記録することができる。
【発明を実施するための最良の形態】
【００４１】
以下、本発明をその実施の形態を示す図面に基づいて詳述する。
【００４２】
（実施の形態１）
図１は、本発明に係る記録装置を備える撮像装置の構成を示すブロック図である。本発明に係る撮像装置は、レンズ１０、及びレンズ１０で集光されて結像した像をアナログの撮像信号に光電変換し、光電変換した撮像信号を撮像信号処理部２２へ出力するＣＣＤのような撮像素子２１を備えている。
【００４３】
撮像信号処理部２２は、撮像素子２１から出力された撮像信号をデジタルのデータにＡＤ変換するＡＤコンバータを備えており、ＡＤ変換したデータをメモリ２３に出力して書込む機能を有している。撮像装置は制御部２０を備えており、制御部２０が撮像信号処理部２２及び各種ハードウェアを制御する。制御部２０は、各種ハードウェアを制御するためのプログラムを記憶しているＲＯＭ２０ａ、及びＲＯＭ２０ａが記憶するプログラムを実行するための一時記憶用のＲＡＭ２０ｂを備えている。
【００４４】
また、撮像装置は、メモリ２３が記憶する画像のデータの記録、表示等の処理を行うデータ処理部２４、画像のデータに基づいて画像を表示する表示部４、不揮発性半導体メモリの記録媒体６が着脱自在に装着される媒体装着部３、及びデータを記憶する不揮発性メモリ７を備えている。
【００４５】
データ処理部２４は、メモリ２３が記憶した画像のデータにガンマ補正、色補正等の画像処理を行う画像処理部２４ａと、画像処理部２４ａが画像処理したデータをＪＰＥＧ、ＭｏｔｉｏｎＪＰＥＧ又はＭＰＥＧの圧縮伸張方式で圧縮及び伸張する圧縮伸張部２４ｂとを備えている。ＭｏｔｉｏｎＪＰＥＧによれば、時系列の複数の静止画は順次ＪＰＥＧの圧縮伸張方式で圧縮され、圧縮された動画は時系列の複数の静止画として伸張される。
【００４６】
またデータ処理部２４は、圧縮伸張部２４ｂで圧縮されたデータを媒体装着部３に装着された記録媒体６に記録及び再生する記録再生部２４ｄと、記録再生部２４ｄにより記録及び再生される画像のデータを表示部４に表示するための信号に変換して、表示部４へ出力する表示部コントローラ２４ｃとを備えている。記録再生部２４ｄは、更にデータを不揮発性メモリ７に書込む機能を有している。
【００４７】
表示部４は、例えばアスペクト比が４／３の液晶ディスプレイを備えており、表示部コントローラ２４ｃから出力された信号に基づいて画像を表示する。
【００４８】
更に撮像装置は、メニュー表示ボタン５ａ、記録ボタン５ｂ、十字キー５ｃ、決定ボタン５ｄ、キャンセルボタン５ｅ、及び電源スイッチ５ｆを備えている。各種ボタン及びスイッチの操作状態は、入出力インタフェースのＩ／Ｏ部２５を介して制御部２０により検出されるように構成されている。
【００４９】
なお、実施の形態１に係る記録装置は、制御部２０、メモリ２３、記録再生部２４ｄ、媒体装着部３、及び不揮発性メモリ７から構成される。
【００５０】
図２は、撮像した画像のデータを記録媒体６に記録する制御部２０の処理手順を示すフローチャートである。電源スイッチ５ｆがオンになった場合、制御部２０は、撮像信号をデジタルのデータにＡＤ変換して（ステップＳ１）、ＡＤ変換したデータをメモリ２３に書込む（ステップＳ２）。
【００５１】
そして、制御部２０は、撮像した画像のデータを表示部４に表示するための信号に変換して表示部４へ出力する（ステップＳ３）。次いで、制御部２０は、記録ボタン５ｂの操作状態を検出して、記録ボタン５ｂがオンの状態にあるか否かを判定する（ステップＳ４）。
【００５２】
記録ボタン５ｂがオンの状態にあると判定した場合（ステップＳ４：ＹＥＳ）、制御部２０は、画像のデータを圧縮し（ステップＳ５）、圧縮したデータの記録に係るサブルーチンを呼び出す（ステップＳ６）。
【００５３】
図３は、圧縮したデータの記録に係るサブルーチンの処理を示すフローチャートである。ステップＳ６においてデータの記録に係るサブルーチンを呼び出した場合、制御部２０は、媒体装着部３に装着された記録媒体６にデータの記録を行える状態にあるか否かを判定する（ステップＳ１０１）。例えば、媒体装着部３が備えるインタフェースの電圧レベルを検出することにより、媒体装着部３に記録媒体６が装着されてあり、データの記録を行える状態にあるか否かを判定する。より具体的には、インタフェースが備える所定のピンが記録媒体６のグランド線に接続して電圧レベルが低下したか否かを検出して、ステップＳ１０１の判定を行う。
【００５４】
データの記録を行える状態にあると判定した場合（ステップＳ１０１：ＹＥＳ）、制御部２０は、ステップＳ５の処理で圧縮されたデータを、所定量単位、例えば５１２バイト単位で記録媒体６へ出力して記録する（ステップＳ１０２）。そして、制御部２０は、データの記録を終えたか否かを判定する（ステップＳ１０３）。データの記録を終えたか否かの判定は、例えばデータの出力を終えた後に、記録終了のコマンドが記録媒体６から出力されているか否かを判定することにより行う。なお、記録終了のコマンドは、記録媒体６が備える記録媒体コントローラから出力される。
【００５５】
データの記録を終えたと判定した場合（ステップＳ１０３：ＹＥＳ）、データの記録に係るサブルーチンの処理を終える。データの記録を終えていないと判定した場合（ステップＳ１０３：ＮＯ）、制御部２０は、処理をステップＳ１０１へ戻す。
【００５６】
ステップＳ１０１においてデータの記録を行える状態にないと判定した場合（ステップＳ１０１：ＮＯ）、制御部２０は、不揮発性メモリ７から記憶容量に関するデータを読み出して、データを記憶する空容量を不揮発性メモリ７が有しているか否かを判定する（ステップＳ１０４）。
【００５７】
データを記憶する空容量を不揮発性メモリ７が有していると判定した場合（ステップＳ１０４：ＹＥＳ）、制御部２０は、記録媒体６に記録すべきデータを不揮発性メモリ７に書込む（ステップＳ１０５）。そして、制御部２０は、記録媒体６にデータの記録を行うことができない状態にある旨を表示部４に表示する（ステップＳ１０６）。
【００５８】
ステップＳ１０６の処理を終えた場合、又はステップＳ１０４においてデータを記憶する空容量を不揮発性メモリ７が有していないと判定した場合（ステップＳ１０４：ＮＯ）、制御部２０は、データの記録に係るサブルーチンの処理を終える。
【００５９】
ステップＳ６の処理を終えた場合、又はステップＳ４において記録ボタン５ｂがオンの状態にないと判定した場合（ステップＳ４：ＮＯ）、制御部２０は、不揮発性メモリ７からデータの記憶情報に関するデータを読み出して、ステップＳ１０５の処理により不揮発性メモリ７に書込まれたデータがあるか否かを判定する（ステップＳ７）。
【００６０】
不揮発性メモリ７に書込まれたデータがあると判定した場合（ステップＳ７：ＹＥＳ）、制御部２０は、不揮発性メモリ７が記憶するデータの記録に係るサブルーチンを呼び出す（ステップＳ８）。
【００６１】
図４は、不揮発性メモリ７が記憶するデータの記録に係るサブルーチンを示すフローチャートである。ステップＳ８において不揮発性メモリ７が記憶するデータの記録に係るサブルーチンを呼び出した場合、制御部２０は、データの記録を行える状態にあるか否かを判定する（ステップＳ２０１）。データの記録を行える状態にあると判定した場合（ステップＳ２０１：ＹＥＳ）、制御部２０は、不揮発性メモリ７が記憶しているデータを記録媒体６へ出力して記録する（ステップＳ２０２）。
【００６２】
次いで、制御部２０は、データの記録を終えたか否かを判定する（ステップＳ２０３）。データの記録を終えていないと判定した場合（ステップＳ２０３：ＮＯ）、制御部２０は、処理をステップＳ２０１へ戻す。
【００６３】
データの記録を終えたと判定した場合（ステップＳ２０３：ＹＥＳ）、制御部２０は、記録を終えたデータを不揮発性メモリ７から削除する（ステップＳ２０４）。そして、制御部２０は、不揮発性メモリ７に保持していたデータを記録媒体６に記録した旨を表示部４に表示する（ステップＳ２０５）。
【００６４】
ステップＳ２０５の処理を終えた場合、又はステップＳ２０１においてデータの記録を行える状態にないと判定した場合（ステップＳ２０１：ＮＯ）、制御部２０は、不揮発性メモリ７が記憶するデータの記録に係るサブルーチンの処理を終える。
ステップＳ８の処理を終えた場合、又はステップＳ７において不揮発性メモリ７に書込まれたデータがないと判定した場合（ステップＳ７：ＮＯ）、制御部２０は、電源スイッチ５ｆの操作状態を検出し、電源スイッチ５ｆがオンの状態にあるか否かを判定する（ステップＳ９）。電源スイッチ５ｆがオンの状態にあると判定した場合（ステップＳ９：ＹＥＳ）、制御部２０は、処理をステップＳ１へ戻す。電源スイッチ５ｆがオンの状態にないと判定した場合（ステップＳ９：ＮＯ）、制御部２０は、処理を終える。
【００６５】
このように構成される撮像装置にあっては、撮像した画像のデータを記録媒体６に記録する処理を行う際に、データの記録を行えない障害が発生した場合であっても、前記データを不揮発性メモリ７で保持することができる。そして、再びデータの記録を行える状態に回復した場合、不揮発性メモリ７が記憶したデータを記録媒体６に記録することにより、撮像した画像のデータを確実に記録媒体６に記録することができる。従って、撮像した貴重な画像のデータを保護して記録することができる。また、記録の障害によりシャッターチャンスを逃す恐れも生じない。
【００６６】
なお、特許請求の範囲に記載された検出手段は、ステップＳ１０１の処理を実行する制御部２０、記録再生部２４ｄ、及び媒体装着部３により実現される。書込手段は、ステップＳ１０５の処理を実行する制御部２０、及び記録再生部２４ｄにより実現される。
【００６７】
また、実施の形態１にあっては、媒体装着部３が備えるインタフェースの電圧レベルを検出することにより、記録媒体６にデータの記録を行える状態にあるか否かの判定を行っているが、記録媒体６が媒体装着手段に装着されていることを物理的に検出することにより実現しても良い。
【００６８】
更に、記録媒体６にデータの記録を行える状態にあるか否かの判定は、記録媒体６へ出力する所定のコマンドに対する応答を検出して実現しても良い。
【００６９】
更にまた、実施の形態１にあっては、記録装置を撮像装置に備えているが、これに限らず記録装置を必要とする装置、例えば画像のキャプチャ機能を有するテレビジョン受像機、携帯電話等に備えても良い。
【００７０】
（実施の形態２）
図５は、実施の形態２に係る記録装置を備える撮像装置の構成を示すブロック図である。実施の形態２に係る撮像装置は、不揮発性メモリ７を除き、実施の形態１に係る撮像装置と同様の制御部２０、メモリ２３、記録再生部２４ｄ等を備えている。また、撮像装置は、主電源が切断された場合であっても、メモリ２３に給電を維持する給電維持部８を備えている。
【００７１】
なお、実施の形態２に係る記録装置は、制御部２０、メモリ２３、記録再生部２４ｄ、媒体装着部３、及び給電維持部８から構成される。また、特許請求の範囲に記載された維持手段は、制御部２０、及びメモリ２３により実現される。
【００７２】
図６及び図７は、撮像した画像のデータを記録媒体６に記録する制御部２０の処理手順を示すフローチャートである。電源スイッチ５ｆがオンになった場合、制御部２０は、維持フラグに１を設定し（ステップＳ３０１）、設定メニュー表示フラグに０を設定する（ステップＳ３０２）。
【００７３】
維持フラグは、記録媒体６にデータの記録を行えない障害が発生した場合、データの記録を終えるまでの間、データの記憶をメモリ２３で維持するか否かを示すデータである。設定メニュー表示フラグは、新たなデータをメモリ２３に書込む際に、該データを記憶する空容量をメモリ２３が有していない場合、維持フラグの設定を受け付けるメニュー画像を表示するか否かを示すフラグである。
【００７４】
次いで、制御部２０は、メニュー表示ボタン５ａの操作状態を検出して、メニュー表示ボタン５ａがオンの状態にあるか否かを判定する（ステップＳ３０３）。メニュー表示ボタン５ａがオンの状態にあると判定した場合（ステップＳ３０３：ＹＥＳ）、制御部２０は、メニュー画像を表示して維持フラグ、及び設定メニュー表示フラグの設定を受け付け（ステップＳ３０４）、受け付けた設定に応じて、維持フラグ及び設定メニュー表示フラグに０又は１を設定する（ステップＳ３０５）。
【００７５】
ステップＳ３０５の処理を終えた場合、又はステップＳ３０３においてメニュー表示ボタン５ａがオンの状態にないと判定した場合（ステップＳ３０３：ＮＯ）、制御部２０は、撮像信号をデジタルのデータにＡＤ変換する（ステップＳ３０６）。次いで、ＡＤ変換した画像のデータを記憶する空容量をメモリ２３が有しているか否かを判定する（ステップＳ３０７）。
【００７６】
画像のデータを記憶する空容量を有していないと判定した場合（ステップＳ３０７：ＮＯ）、制御部２０は、設定メニュー表示フラグが１であるか否かを判定する（ステップＳ３０８）。設定メニュー表示フラグが１であると判定した場合（ステップＳ３０８：ＹＥＳ）、制御部２０は、メニュー画像を表示して維持フラグの設定を受け付け（ステップＳ３０９）、受け付けた設定に応じて、維持フラグに０又は１を設定する（ステップＳ３１０）。
【００７７】
ステップＳ３１０の処理を終えた場合、又はステップＳ３０８において設定メニュー表示フラグが１でないと判定した場合（ステップＳ３０８：ＮＯ）、制御部２０は、維持フラグが０であるか否かを判定する（ステップＳ３１１）。
【００７８】
維持フラグが０であると判定した場合（ステップＳ３１１：ＹＥＳ）、又はステップＳ３０７において画像のデータを記憶する空容量があると判定した場合（ステップＳ３０７：ＹＥＳ）、制御部２０は、画像のデータをメモリ２３に書込む（ステップＳ３１２）。
【００７９】
ステップＳ３１２の処理を終えた場合、又はステップＳ３１１において維持フラグが０でないと判定した場合（ステップＳ３１１：ＮＯ）、制御部２０は、メモリ２３に書込まれている画像のデータを表示用のデータに変換して表示部４へ出力する（ステップＳ３１３）。
【００８０】
ステップＳ３１３の処理を終えた場合、制御部２０は、記録ボタン５ｂの操作状態を検出して、記録ボタン５ｂがオンの状態にあるか否かを検出する（ステップＳ３１４）。記録ボタン５ｂがオンの状態にあると判定した場合（ステップＳ３１４：ＹＥＳ）、制御部２０は、画像のデータを圧縮し（ステップＳ３１５）、圧縮したデータの記録に係るサブルーチンを呼び出す（ステップＳ３１６）。
【００８１】
図８は、圧縮したデータの記録に係るサブルーチンの処理を示すフローチャートである。ステップＳ３１６においてデータの記録に係るサブルーチンを呼び出した場合、制御部２０は、媒体装着部３に装着された記録媒体６にデータの記録を行える状態にあるか否かを判定する（ステップＳ４０１）。
【００８２】
データの記録を行える状態にあると判定した場合（ステップＳ４０１：ＹＥＳ）、制御部２０は、ステップＳ３１５で圧縮されたデータを所定量単位で記録媒体６へ出力して記録する（ステップＳ４０２）。そして、制御部２０は、データの記録を終えたか否かを判定する（ステップＳ４０３）。
【００８３】
データの記録を終えたと判定した場合（ステップＳ４０３：ＹＥＳ）、データの記録に係るサブルーチンの処理を終える。データの記録を終えていないと判定した場合（ステップＳ４０３：ＮＯ）、制御部２０は、処理をステップＳ４０１へ戻す。
【００８４】
ステップＳ４０１においてデータの記録を行える状態にないと判定した場合（ステップＳ４０１：ＮＯ）、制御部２０は、記録媒体６に記録すべきデータの記憶を維持する（ステップＳ４０４）。データの記憶の維持は、例えばデータを記憶しているメモリ２３の記憶領域を開放せずに、データの所在及び記録媒体６に記録すべきデータであることを示す情報を、メモリ２３に書込むことにより行う。
【００８５】
ステップＳ４０４の処理を終えた場合、データの記録を行えない状態にある旨を表示部４に表示し（ステップＳ４０５）、データの記録に係るサブルーチンの処理を終える。
【００８６】
ステップＳ３１６の処理を終えた場合、又はステップＳ３１４において記録ボタン５ｂがオンの状態にないと判定した場合（ステップＳ３１４：ＮＯ）、制御部２０は、ステップＳ４０４の処理によって、記憶を維持しているデータがあるか否かを判定する（ステップＳ３１７）。具体的には、ステップＳ４０４において書込んだ記憶の維持に係る情報、即ちデータの所在及び記録媒体６に記録すべきデータであることを示す情報に基づいて判定する。
【００８７】
記憶を維持しているデータがあると判定した場合（ステップＳ３１７：ＹＥＳ）、制御部２０は、データの再記録処理に係るサブルーチンを呼び出す（ステップＳ３１８）。
【００８８】
図９は、データの再記録処理に係るサブルーチンの処理手順を示すフローチャートである。ステップＳ３１８においてデータの再記録処理に係るサブルーチンを呼び出した場合、制御部２０は、記録媒体６にデータの記録を行える状態にあるか否かを判定する（ステップＳ５０１）。データの記録を行える状態にないと判定した場合（ステップＳ５０１：ＮＯ）、制御部２０は、データの再記録処理に係るサブルーチンの処理を終える。
【００８９】
データの記録を行える状態にあると判定した場合（ステップＳ５０１：ＹＥＳ）、制御部２０は、メモリ２３で記憶を維持しているデータを所定量単位で記録媒体６へ出力して記録する（ステップＳ５０２）。そして、制御部２０は、データの記録を終えたか否かを判定する（ステップＳ５０３）。データの記録を終えていないと判定した場合（ステップＳ５０３：ＮＯ）、制御部２０は、処理をステップＳ５０１へ戻す。
【００９０】
データの記録を終えたと判定した場合（ステップＳ５０３：ＹＥＳ）、制御部２０は、記録媒体６に記録を終えたデータが記録されているメモリ２３の記憶領域を開放し、ステップＳ４０４で書込んだ記憶の維持に係る情報を削除する（ステップＳ５０４）。そして、制御部２０は、記憶を維持していたデータを記録媒体６に記録した旨を表示部４に表示し（ステップＳ５０５）、データの再記録処理に係るサブルーチンの処理を終える。
【００９１】
ステップＳ３１８の処理を終えた場合、又はステップＳ３１７において記憶を維持しているデータはないと判定した場合（ステップＳ３１７：ＮＯ）、制御部２０は、電源スイッチ５ｆの操作状態を検出して、電源スイッチ５ｆがオンの状態にあるか否かを判定する（ステップＳ３１９）。
【００９２】
電源スイッチ５ｆがオンの状態にあると判定した場合（ステップＳ３１９：ＹＥＳ）、制御部２０は、処理をステップＳ３０３へ戻す。電源スイッチ５ｆがオンの状態にないと判定した場合（ステップＳ３１９：ＮＯ）、制御部２０は、処理を終了する。
【００９３】
実施の形態２に係る他の構成、作用及び効果は、実施の形態１に係る構成、作用及び効果と同様であるため、同様の箇所には同様の符号を付して詳細な説明を省略する。
【００９４】
このように構成される撮像装置にあっては、撮像した画像のデータを記録媒体６に記録する処理を行う際に、データの記録を行えない障害が発生した場合であっても、前記データの記憶を維持する。そして、再びデータの記録を行える状態に回復した場合、記憶を維持しているデータを記録媒体６に記録することにより、撮像した画像のデータを確実に記録媒体６に記録することができる。
【００９５】
また、維持フラグに１を設定することにより、記録媒体６に記録すべきデータが記録媒体６に記録されるまでの間、前記データの記憶をメモリ２３で維持することができる。データの記憶を維持しており、新たにデータを記憶する空容量がない場合、新たにＡＤ変換された画像のデータはメモリ２３に書込まれず、撮像を行えない状態となる。つまり、先に記録する処理が行われた画像のデータが、優先的に保持される。従って、先に撮像された貴重な画像のデータを保護することができる。
【００９６】
更に、維持フラグに０を設定することにより、データの記憶を維持しており、新たにデータを記憶する空容量をメモリ２３が有していない場合、新たにＡＤ変換された画像のデータは、記憶が維持されたデータに上書きされる。つまり、新たにＡＤ変換された画像のデータが優先的に書込まれて保持される。従って、最新の画像のデータが保持され、シャッターチャンスを逃す恐れがなくなる。
【００９７】
更にまた、ステップＳ３０４で維持フラグの設定を受け付けることにより、最新の画像のデータと、先に撮像された画像のデータのいずれを優先的に保持するか否かを選択することができる。
【００９８】
更にまた、ステップＳ３０４で設定メニュー表示フラグの設定を受け付けることにより、メモリ２３の空容量がない場合に、維持データの設定を毎回受け付けるメニューを表示するか否かを選択することができる。
【００９９】
更にまた、給電維持部８を備えているため、電源スイッチ５ｆがオフになった場合であっても、揮発性のメモリ２３には記憶を維持するたの電圧が供給される。従って、電源スイッチ５ｆをオフにした場合であっても、記録媒体６に記録すべきデータの記憶は維持される。
【図面の簡単な説明】
【０１００】
【図１】本発明に係る記録装置を備える撮像装置の構成を示すブロック図である。
【図２】撮像した画像のデータを記録媒体に記録する制御部の処理手順を示すフローチャートである。
【図３】圧縮したデータの記録に係るサブルーチンの処理を示すフローチャートである。
【図４】不揮発性メモリが記憶するデータの記録に係るサブルーチンを示すフローチャートである。
【図５】実施の形態２に係る記録装置を備える撮像装置の構成を示すブロック図である。
【図６】撮像した画像のデータを記録媒体に記録する制御部の処理手順を示すフローチャートである。
【図７】撮像した画像のデータを記録媒体に記録する制御部の処理手順を示すフローチャートである。
【図８】圧縮したデータの記録に係るサブルーチンの処理を示すフローチャートである。
【図９】データの再記録処理に係るサブルーチンの処理手順を示すフローチャートである。
【符号の説明】
【０１０１】
３  媒体装着部
４  表示部
５ａ  メニュー表示ボタン
５ｂ  記録ボタン
５ｃ  十字キー
５ｄ  決定ボタン
５ｅ  キャンセルボタン
５ｆ  電源スイッチ
６  記録媒体
７  不揮発性メモリ
８  給電維持部
１０  レンズ
２０  制御部
２０ａ  ＲＯＭ
２０ｂ  ＲＡＭ
２１  撮像素子
２２  撮像信号処理部
２３  メモリ
２４  データ処理部
２４ａ  画像処理部
２４ｂ  圧縮伸張部
２４ｃ  表示部コントローラ
２４ｄ  記録再生部
２５  Ｉ／Ｏ部
【図１】
2006059265.tif 000003
【図２】
2006059265.tif 000004
【図３】
2006059265.tif 000005
【図４】
2006059265.tif 000006
【図５】
2006059265.tif 000007
【図６】
2006059265.tif 000008
【図７】
2006059265.tif 000009
【図８】
2006059265.tif 000010
【図９】
2006059265.tif 000011